(57)【要約】  無線リソースのリソース割り当て単位の先頭シンボルに、front-loaded DMRSがマッピングされる場合の、Additional DMRSのマッピングを規定する新たな構成を提供する。基地局装置は、front-loaded DMRS（第１の復調用参照信号）がリソース割り当て単位の先頭シンボルにマッピングされた下り無線リンク信号において、リソース割り当て単位のシンボル数が８以上であってAdditional DMRS（第２の復調用参照信号）の数が１以上である場合、リソース割り当て単位の最後方のシンボルから３シンボル以内に１つのAdditional DMRSをマッピングする。
2019138562.tif 000002
【特許請求の範囲】
【請求項１】
第１の復調用参照信号がリソース割り当て単位の先頭シンボルにマッピングされた下り無線リンク信号を送信する送信部と、
前記リソース割り当て単位のシンボル数と、前記リソース割り当て単位においてマッピングする第２の復調用参照信号の数と、に基づいて、前記第２の復調用参照信号の、前記リソース割り当て単位におけるマッピング位置を制御する制御部と、
を具備し、
前記制御部は、
前記リソース割り当て単位のシンボル数が８以上であって前記第２の復調用参照信号の数が１以上である場合、前記リソース割り当て単位の最後方のシンボルから３シンボル以内に１つの前記第２の復調用参照信号をマッピングする、
無線通信装置。
【請求項２】
前記制御部は、
前記第２の復調用参照信号の数が２以上である場合、前記第１および第２の復調用参照信号を等間隔にマッピングする、
請求項１に記載の無線通信装置。
【請求項３】
前記制御部は、
前記リソース割り当て単位の第２の復調用参照信号の数が２である場合、前記リソース割り当て単位のシンボル数が２ｎの場合と（２ｎ＋１）の場合とで（ｎは、４、５、６のいずれか）、前記リソース割り当て単位の先頭から同一の位置に、前記第２の復調用参照信号をマッピングする、
請求項１に記載の無線通信装置。
【請求項４】
第１の復調用参照信号がリソース割り当て単位の先頭から２シンボル連続してマッピングされた下り無線リンク信号を送信する送信部と、
前記リソース割り当て単位のシンボル数と、前記リソース割り当て単位においてマッピングする第２の復調用参照信号の数と、に基づいて、前記第２の復調用参照信号の、前記リソース割り当て単位におけるマッピング位置を制御する制御部と、
を具備し、
前記制御部は、
前記リソース割り当て単位のシンボル数が８以上であって前記第２の復調用参照信号の数が１以上である場合、前記第２の復調用参照信号を２シンボル連続してマッピングし、かつ、前記リソース割り当て単位の最後方のシンボルから３シンボル以内に少なくとも１つの前記第２の復調用参照信号をマッピングする、
無線通信装置。
【請求項５】
第１の復調用参照信号がリソース割り当て単位の先頭シンボルにマッピングされた上り無線リンク信号を送信する送信部と、
前記リソース割り当て単位のシンボル数と、前記リソース割り当て単位においてマッピングする第２の復調用参照信号の数と、に基づいて、前記第２の復調用参照信号の、前記リソース割り当て単位におけるマッピング位置を制御する制御部と、
を具備し、
前記制御部は、
前記リソース割り当て単位のシンボル数が１４であって前記第２の復調用参照信号の数が１以上である場合、前記リソース割り当て単位の最後方のシンボルから５シンボル以内に１つの前記第２の復調用参照信号をマッピングする、
無線通信装置。
【請求項６】
第１の復調用参照信号がリソース割り当て単位の先頭から２シンボル連続してマッピングされた上り無線リンク信号を送信する送信部と、
前記リソース割り当て単位のシンボル数と、前記リソース割り当て単位においてマッピングする第２の復調用参照信号の数と、に基づいて、前記第２の復調用参照信号の、前記リソース割り当て単位におけるマッピング位置を制御する制御部と、
を具備し、
前記制御部は、
前記リソース割り当て単位のシンボル数が１３以上であって前記第２の復調用参照信号の数が１である場合に、前記第２の復調用参照信号を２シンボル連続してマッピングし、かつ、前記リソース割り当て単位の最後方のシンボルから５シンボル以内に少なくとも１つの前記第２の復調用参照信号をマッピングする、
無線通信装置。
【発明の詳細な説明】
【技術分野】
【０００１】
本発明は、無線通信装置に関する。
【背景技術】
【０００２】
ＵＭＴＳ（Universal Mobile Telecommunication System）ネットワークにおいて、更なる高速データレート、低遅延などを目的としてロングタームエボリューション（ＬＴＥ：Long Term Evolution）が仕様化された（非特許文献１）。また、ＬＴＥからの更なる広帯域化及び高速化を目的として、ＬＴＥの後継システムも検討されている。ＬＴＥの後継システムには、例えば、ＬＴＥ−Ａ（LTE-Advanced）、ＦＲＡ（Future Radio Access）、５Ｇ（5th generation mobile communication system）、５Ｇ＋（5G plus）、Ｎｅｗ−ＲＡＴ（Radio Access Technology）などと呼ばれるものがある。【０００３】
将来の無線通信システム（例えば、５Ｇ）では、データ信号を復調するための復調用参照信号（Demodulation Reference Signal）が規定され、復調用参照信号のリソースへのマッピングについての仕様化が進められている（非特許文献２参照）。なお、復調用参照信号は、「ＤＭＲＳ」（Demodulation Reference Signal）、「ＤＭ−ＲＳ」、又は、「復調用ＲＳ」と表記されてもよい。
【先行技術文献】
【非特許文献】
【０００４】
【非特許文献１】3GPP TS 36.300 v13.4.0, “Evolved Universal Terrestrial Radio Access (E-UTRA) and Evolved Universal Terrestrial Radio Access Network (E-UTRAN); Overall description; Stage 2 (Release 13),” June 2016
【非特許文献２】3GPP TS 38.211 V15.0.0, “Physical channels and modulation (Release 15),” December 2017
【発明の概要】
【発明が解決しようとする課題】
【０００５】
しかしながら、５Ｇの仕様では、無線リソースのリソース割り当て単位の先頭シンボルに、ＤＭＲＳ（front-loaded DMRS、第１の復調用参照信号）がマッピングされる場合の、アディショナルＤＭＲＳ（Additional DMRS、第２の復調用参照信号）のマッピング位置について、一部、規定されていない部分がある。【０００６】
本発明の一態様は、無線リソースのリソース割り当て単位の先頭シンボルに、ＤＭＲＳがマッピングされる場合の、アディショナルＤＭＲＳのマッピングを規定することにある。
【課題を解決するための手段】
【０００７】
本発明の無線通信装置は、第１の復調用参照信号がリソース割り当て単位の先頭シンボルにマッピングされた下り無線リンク信号を送信する送信部と、前記リソース割り当て単位のシンボル数と、前記リソース割り当て単位においてマッピングする第２の復調用参照信号の数と、に基づいて、前記第２の復調用参照信号の、前記リソース割り当て単位におけるマッピング位置を制御する制御部と、を具備し、前記制御部は、前記リソース割り当て単位のシンボル数が８以上であって前記第２の復調用参照信号の数が１以上である場合、前記リソース割り当て単位の最後方のシンボルから３シンボル以内に１つの前記第２の復調用参照信をマッピングする。
【発明の効果】
【０００８】
本発明の一態様によれば、無線リソースのリソース割り当て単位の先頭シンボルに、ＤＭＲＳがマッピングされる場合の、アディショナルＤＭＲＳのマッピングを規定する新たな構成を提供する。
【図面の簡単な説明】
【０００９】
【図１】一実施の形態に係る無線基地局の全体構成の一例を示すブロック図である。
【図２】一実施の形態に係るユーザ端末の全体構成の一例を示すブロック図である。
【図３Ａ】ＤＭＲＳのマッピングタイプＡを説明する図である。
【図３Ｂ】ＤＭＲＳのマッピングタイプＢを説明する図である。
【図４】ＤＬにおけるＤＭＲＳのマッピング位置を説明する図である。
【図５】マッピングタイプＢのDL-DMRS-add-pos「２」におけるＤＭＲＳのマッピング位置の一例を示した図である。
【図６】ＤＬにおけるＤ−ＤＭＲＳのマッピング位置を説明する図である。
【図７】マッピングタイプＢのDL-DMRS-add-pos「１」におけるＤＭＲＳのマッピング位置の一例を示した図である。
【図８】ＵＬにおけるＤＭＲＳのマッピング位置を説明する図である。
【図９】マッピングタイプＢのUL-DMRS-add-pos「２」におけるＤＭＲＳのマッピング位置の一例を示した図である。
【図１０】ＵＬにおけるＤ−ＤＭＲＳのマッピング位置を説明する図である。
【図１１】ＵＬのＤＭＲＳの周波数ホッピングの一例を説明する図である。
【図１２】ＵＬにおけるＤＭＲＳのマッピング位置を説明する図である。
【図１３】本発明の一実施の形態に係る無線基地局１０及びユーザ端末２０のハードウェア構成の一例を示す図である。
【発明を実施するための形態】
【００１０】
以下、本発明の一実施の形態について、図面を参照して説明する。
【００１１】
（一実施の形態）
本実施の形態に係る無線通信システムは、図１に示す無線基地局１０と、図２に示すユーザ端末２０とを備える。無線基地局１０は、例えば、ｅＮＢ（ｅＮｏｄｅＢ）又はｇＮＢ（ｇＮｏｄｅＢ）とも呼ばれる。ユーザ端末２０は、例えば、ＵＥ（User Equipment）とも呼ばれる。ユーザ端末２０は、無線基地局１０と無線接続（無線アクセス）される。
【００１２】
無線基地局１０は、ユーザ端末２０に対して、下り制御チャネル（例えば、ＰＤＣＣＨ：Physical Downlink Control Channel）を用いて下りリンク（ＤＬ：Downlink）制御信号を送信する。無線基地局１０は、ユーザ端末２０に対して、下りデータチャネル（例えば、下り共有チャネル：ＰＤＳＣＨ：Physical Downlink Shared Channel）を用いてＤＬデータ信号及びＤＭＲＳを送信する。
【００１３】
また、ユーザ端末２０は、無線基地局１０に対して、上り制御チャネル（例えば、ＰＵＣＣＨ：Physical Uplink Control Channel）あるいは上りデータチャネル（例えば、上り共有チャネル：ＰＵＳＣＨ：Physical Uplink Shared Channel）を用いて上りリンク（ＵＬ：Uplink）制御信号を送信する。ユーザ端末２０は、無線基地局１０に対して、上りデータチャネル（例えば、上り共有チャネル：ＰＵＳＣＨ：Physical Uplink Shared Channel）を用いてＵＬデータ信号及びＤＭＲＳを送信する。
【００１４】
本実施の形態における無線通信システムでは、後述するが、ＤＭＲＳのマッピングにおいて、２つのマッピングタイプ（mapping type Aと mapping type B）のいずれか一方が設定される。そして、本実施の形態における無線通信システムでは、２つのマッピングタイプのそれぞれにおいて、ＤＭＲＳの位置がいくつか規定され、そのうちの１つが設定される。
【００１５】
なお、無線基地局１０及びユーザ端末２０が送受信する下りチャネル及び上りチャネルは、上記のＰＤＣＣＨ、ＰＤＳＣＨ、ＰＵＣＣＨ、ＰＵＳＣＨ等に限定されない。無線基地局１０及びユーザ端末２０が送受信する下りチャネル及び上りチャネルは、例えば、ＰＢＣＨ（Physical Broadcast Channel）、ＲＡＣＨ（Random Access Channel）等の他のチャネルでもよい。
【００１６】
また、図１及び図２では、無線基地局１０及びユーザ端末２０において生成されるＤＬおよび／またはＵＬの信号波形は、ＯＦＤＭ（Orthogonal Frequency Division Multiplexing）変調に基づく信号波形でもよい。あるいは、ＤＬおよび／またはＵＬの信号波形は、ＳＣ−ＦＤＭＡ（Single Carrier-Frequency Division Multiple Access）又はＤＦＴ−Ｓ−ＯＦＤＭ（DFT-Spread-OFDM））に基づく信号波形でもよい。あるいは、ＤＬおよび／またはＵＬの信号波形は、他の信号波形でもよい。図１及び図２では、信号波形を生成するための構成部（例えば、IFFT処理部、CP付加部、CP除去部、FFT処理部等）の記載を省略している。
【００１７】
＜無線基地局＞
図１は、本実施の形態に係る無線基地局１０の全体構成の一例を示すブロック図である。無線基地局１０は、スケジューラ１０１と、送信信号生成部１０２と、符号化・変調部１０３と、マッピング部１０４と、送信部１０５と、アンテナ１０６と、受信部１０７と、制御部１０８と、チャネル推定部１０９と、復調・復号部１１０と、を含む。なお、無線基地局１０は、複数のユーザ端末２０と同時に通信を行うＭＵ−ＭＩＭＯ（Multi-User Multiple-Input Multiple-Output）の構成を有してもよい。あるいは、無線基地局１０は、１つのユーザ端末２０と通信を行うＳＵ−ＭＩＭＯ（Single-User Multiple-Input Multiple-Output）の構成を有していてもよい。あるいは、無線基地局１０は、ＳＵ−ＭＩＭＯおよびＭＵ−ＭＩＭＯの両方の構成を有していてもよい。
【００１８】
スケジューラ１０１は、ＤＬ信号（ＤＬデータ信号、ＤＬ制御信号及びＤＭＲＳ等）のスケジューリング（例えば、リソース割当及びポート割当）を行う。また、スケジューラ１０１は、ＵＬ信号（ＵＬデータ信号、ＵＬ制御信号及びＤＭＲＳ等）のスケジューリング（例えば、リソース割当及びポート割当）を行う。
【００１９】
また、スケジューラ１０１は、ＤＬ信号およびＵＬ信号におけるＤＭＲＳのマッピングタイプを設定する。マッピングタイプには、後述するが、マッピングタイプＡとマッピングタイムＢとがある。スケジューラ１０１は、各マッピングタイプで決められた所定のシンボルにＤＭＲＳをマッピングする。
【００２０】
上記のＤＭＲＳのマッピングに関連する情報を、設定情報と記載することがある。設定情報には、他の情報が含まれていてもよい。設定情報は、例えば、下り制御情報（ＤＣＩ：Downlink Control Information）に含まれてもよい。
【００２１】
スケジューラ１０１は、設定情報を含むスケジューリング情報を送信信号生成部１０２及びマッピング部１０４に出力する。スケジューラ１０１は、後述するように、ＤＬ信号にＤＭＲＳをマッピングする位置を制御する制御部の一例と捉えてよい。
【００２２】
また、スケジューラ１０１は、例えば、無線基地局１０とユーザ端末２０との間のチャネル品質に基づいて、ＤＬデータ信号及びＵＬデータ信号のＭＣＳ（Modulation and Coding Scheme）（符号化率、変調方式等）を設定する。スケジューラ１０１は、設定したＭＣＳの情報を送信信号生成部１０２及び符号化・変調部１０３へ出力する。なお、ＭＣＳは、無線基地局１０が設定する場合に限定されず、ユーザ端末２０が設定してもよい。ユーザ端末２０がＭＣＳを設定する場合、無線基地局１０は、ユーザ端末２０からＭＣＳ情報を受信すればよい（図示せず）。
【００２３】
送信信号生成部１０２は、送信信号（ＤＬデータ信号、ＤＬ制御信号を含む）を生成する。例えば、ＤＬ制御信号には、スケジューラ１０１から出力されたスケジューリング情報（例えば、設定情報）又はＭＣＳ情報を含むＤＣＩが含まれる。送信信号生成部１０２は、生成した送信信号を符号化・変調部１０３に出力する。
【００２４】
符号化・変調部１０３は、例えば、スケジューラ１０１から入力されるＭＣＳ情報に基づいて、送信信号生成部１０２から入力される送信信号に対して、符号化処理及び変調処理を行う。符号化・変調部１０３は、変調後の送信信号をマッピング部１０４に出力する。
【００２５】
マッピング部１０４は、スケジューラ１０１から入力されるスケジューリング情報（例えば、ＤＬのリソース割当、および、設定情報）に基づいて、符号化・変調部１０３から入力される送信信号を所定の無線リソース（ＤＬリソース）にマッピングする。また、マッピング部１０４は、スケジューリング情報に基づいて、ＤＭＲＳを所定の無線リソース（ＤＬリソース）にマッピングする。マッピング部１０４は、無線リソースにマッピングされたＤＬ信号を送信部１０５に出力する。
【００２６】
送信部１０５は、マッピング部１０４から入力されるＤＬ信号に対して、アップコンバート、増幅等の送信処理を行い、無線周波数信号（ＤＬ信号）をアンテナ１０６から送信する。
【００２７】
受信部１０７は、アンテナ１０６で受信された無線周波数信号（ＵＬ信号）に対して、増幅、ダウンコンバート等の受信処理を行い、ＵＬ信号を制御部１０８に出力する。
【００２８】
制御部１０８は、スケジューラ１０１から入力されるスケジューリング情報（ＵＬのリソース割当）に基づいて、受信部１０７から入力されるＵＬ信号からＵＬデータ信号及びＤＭＲＳを分離（デマッピング）する。そして、制御部１０８は、ＵＬデータ信号を復調・復号部１１０に出力しＤＭＲＳをチャネル推定部１０９に出力する。
【００２９】
チャネル推定部１０９は、ＵＬ信号のＤＭＲＳを用いてチャネル推定を行い、推定結果であるチャネル推定値を復調・復号部１１０に出力する。
【００３０】
復調・復号部１１０は、チャネル推定部１０９から入力されるチャネル推定値に基づいて、制御部１０８から入力されるＵＬデータ信号に対して復調及び復号処理を行う。復調・復号部１１０は、復調後のＵＬデータ信号を、アプリケーション部（図示せず）に転送する。なお、アプリケーション部は、物理レイヤ又はＭＡＣレイヤより上位のレイヤに関する処理などを行う。
【００３１】
スケジューラ１０１、送信信号生成部１０２、符号化・変調部１０３、マッピング部１０４、及び、送信部１０５を含むブロックは、無線基地局１０に備えられた無線送信装置の一例と捉えてよい。また、受信部１０７、制御部１０８、チャネル推定部１０９、及び、復調・復号部１１０を含むブロックは、無線基地局１０に備えられた無線受信装置の一例と捉えてよい。
【００３２】
また、制御部１０８、チャネル推定部１０９、及び、復調・復号部１１０を含むブロックは、後述するように、ＵＬ信号の時間領域にマッピングされたＤＭＲＳを用いて、ＵＬ信号を受信処理する処理部の一例と捉えてよい。
【００３３】
＜ユーザ端末＞
図２は、本実施の形態に係るユーザ端末２０の全体構成の一例を示すブロック図である。ユーザ端末２０は、アンテナ２０１と、受信部２０２と、制御部２０３と、チャネル推定部２０４と、復調・復号部２０５と、送信信号生成部２０６と、符号化・変調部２０７と、マッピング部２０８と、送信部２０９と、を含む。
【００３４】
受信部２０２は、アンテナ２０１で受信された無線周波数信号（ＤＬ信号）に対して、増幅、ダウンコンバート等の受信処理を行い、ＤＬ信号を制御部２０３に出力する。ＤＬ信号には、少なくとも、ＤＬデータ信号及びＤＭＲＳが含まれる。
【００３５】
制御部２０３は、受信部２０２から入力されるＤＬ信号からＤＬ制御信号及びＤＭＲＳを分離（デマッピング）する。そして、制御部２０３は、ＤＬ制御信号を復調・復号部２０５に出力し、ＤＭＲＳをチャネル推定部２０４に出力する。制御部２０３は、ＤＭＲＳの設定情報に基づいて、ＤＭＲＳを分離できる。
【００３６】
チャネル推定部２０４は、分離したＤＭＲＳを用いてチャネル推定を行い、推定結果であるチャネル推定値を復調・復号部２０５に出力する。
【００３７】
復調・復号部２０５は、制御部２０３から入力されるＤＬ制御信号を復調する。また、復調・復号部２０５は、復調後のＤＬ制御信号に対して復号処理（例えば、ブラインド検出処理）を行う。復調・復号部２０５は、ＤＬ制御信号を復号することによって得られた自機宛てのスケジューリング情報（例えば、ＤＬ／ＵＬのリソース割当）を制御部２０３及びマッピング部２０８に出力し、ＵＬデータ信号に対するＭＣＳ情報を符号化・変調部２０７へ出力する。
【００３８】
また、復調・復号部２０５は、制御部２０３から入力されるＤＬ制御信号に含まれるＤＬデータ信号に対するＭＣＳ情報に基づいて、チャネル推定部２０４から入力されるチャネル推定値を用いて制御部２０３から入力されるＤＬデータ信号に対して復調及び復号処理を行う。また、復調・復号部２０５は、復調後のＤＬデータ信号をアプリケーション部（図示せず）に転送する。なお、アプリケーション部は、物理レイヤ又はＭＡＣレイヤより上位のレイヤに関する処理などを行う。
【００３９】
送信信号生成部２０６は、送信信号（ＵＬデータ信号又はＵＬ制御信号を含む）を生成し、生成した送信信号を符号化・変調部２０７に出力する。
【００４０】
符号化・変調部２０７は、例えば、復調・復号部２０５から入力されるＭＣＳ情報に基づいて、送信信号生成部２０６から入力される送信信号に対して、符号化処理及び変調処理を行う。符号化・変調部２０７は、変調後の送信信号をマッピング部２０８に出力する。
【００４１】
マッピング部２０８は、復調・復号部２０５から入力されるスケジューリング情報（ＵＬのリソース割当）に基づいて、符号化・変調部２０７から入力される送信信号を所定の無線リソース（ＵＬリソース）にマッピングする。また、マッピング部２０８は、スケジューリング情報に基づいて、ＤＭＲＳを所定の無線リソース（ＵＬリソース）にマッピングする。
【００４２】
ＤＭＲＳの無線リソースへのマッピングは、例えば、制御部２０３によって制御されてよい。例えば、制御部２０３は、後述するように、ＵＬ信号にＤＭＲＳをマッピングする位置を、異なる時間において異なる周波数にホッピングする制御部の一例と捉えてよい。
【００４３】
送信部２０９は、マッピング部２０８から入力されるＵＬ信号（少なくともＵＬデータ信号及びＤＭＲＳを含む）に対して、アップコンバート、増幅等の送信処理を行い、無線周波数信号（ＵＬ信号）をアンテナ２０１から送信する。
【００４４】
送信信号生成部２０６、符号化・変調部２０７、マッピング部２０８、及び、送信部２０９を含むブロックは、ユーザ端末２０に備えられた無線送信装置の一例と捉えてよい。また、受信部２０２、制御部２０３、チャネル推定部２０４、及び、復調・復号部２０５を含むブロックは、ユーザ端末２０に備えられた無線受信装置の一例と捉えてよい。
【００４５】
また、制御部２０３、チャネル推定部２０４、及び、復調・復号部２０５を含むブロックは、後述するように、ＤＬ信号の時間領域にマッピングされたＤＭＲＳを用いて、ＤＬ信号を受信処理する処理部の一例と捉えてよい。
【００４６】
以上説明した無線基地局１０とユーザ端末２０とを備える無線通信システムでは、ＤＭＲＳの一例として、front-loaded DMRSが用いられる。front-loaded DMRSは、リソース割り当て単位であるスロット（または、リソースユニットおよびサブフレーム等と呼ばれてもよい）における時間方向の前方にマッピングされる。別言すれば、スロットにマッピングされる、時間方向の最初のＤＭＲＳをfront-loaded DMRSと呼ぶ。ＤＭＲＳが前方にマッピングされることにより、無線通信システムでは、チャネル推定および復調処理に要する処理時間を短縮できる。以下では、front-loaded DMRSをＦＬ−ＤＭＲＳ、front-load DMRSあるいは第１の復調用参照信号と記載することがある。
【００４７】
ＤＭＲＳのマッピングタイプは、ＦＬ−ＤＭＲＳのマッピング位置によって、マッピングタイプＡとマッピングタイプＢとに分けられる。以下、２つのマッピングタイプＡ，Ｂについて説明する。
【００４８】
＜マッピングタイプＡ＞
図３Ａは、ＤＭＲＳのマッピングタイプＡを説明する図である。図３Ａに示すスロット（slot）は、例えば、１６８個のリソース要素（ＲＥ：Resource Element）が時間方向に１４個、周波数方向に１２個並んだ構成を有する。１ＲＥは、１シンボルと１サブキャリアとにより定義される無線リソース領域である。１つのスロットは、１４シンボルと１２サブキャリアとにより構成される。
【００４９】
以下の説明では、ＲＵの時間方向の１４シンボルを、左から順にＳＢ０〜ＳＢ１３と呼ぶ。また、ＲＵの周波数方向の１２サブキャリアを、下から順にＳＣ０〜ＳＣ１１と呼ぶ。スロットの定義は、上記に限られない。例えば、スロットのシンボル数は、１４未満の場合もあり得る。また、例えば、スロットのサブキャリア数は、１１未満の場合および１３以上の場合もあり得る。
【００５０】
ＰＤＣＣＨは、スロットの先頭のＳＢ０，ＳＢ１の２シンボルにマッピングされる。または、ＰＤＣＣＨは、スロットの先頭のＳＢ０，ＳＢ１，ＳＢ２の３シンボルにマッピングされる。図３Ａの例では、ＰＤＣＣＨは、スロットの先頭のＳＢ０，ＳＢ１の２シンボルにマッピングされている。なお、ＵＬ信号におけるＰＵＣＣＨのマッピングについてもＰＤＣＣＨと同様でよい。
【００５１】
マッピングタイプＡでは、ＦＬ−ＤＭＲＳは、スロットの３番目のシンボル（ＳＢ２）又は４番目のシンボル（ＳＢ３）にマッピングされる。つまり、ＦＬ−ＤＭＲＳは、時間方向において、ＰＤＣＣＨのシンボルの後にマッピングされる。
【００５２】
例えば、ＰＤＣＣＨが、図３Ａに示すように、ＳＢ０，ＳＢ１の２シンボルにマッピングされる場合、ＦＬ−ＤＭＲＳは、ＳＢ２にマッピングされる。また、ＰＤＣＣＨがＳＢ０，ＳＢ１，ＳＢ２の３シンボルにマッピングされる場合、ＦＬ−ＤＭＲＳは、ＳＢ３にマッピングされる。
【００５３】
ＦＬ−ＤＭＲＳの時間方向の後方に、アディショナルＤＭＲＳ（additional DMRS）がマッピングされることがある。図３Ａの例では、アディショナルＤＭＲＳは、ＳＢ１１にマッピングされている。アディショナルＤＭＲＳによって、例えば、ハイドップラー（high doppler）に基づくＤＭＲＳの劣化を抑制でき、又は、ＤＭＲＳのカバレッジを拡張できる。以下では、アディショナルＤＭＲＳを、Ａ−ＤＭＲＳあるいは第２の復調用参照信号と記載することがある。
【００５４】
＜マッピングタイプＢ＞
図３Ｂは、ＤＭＲＳのマッピングタイプＢを説明する図である。上記したように、ＤＭＲＳのマッピングタイプＡでは、ＦＬ−ＤＭＲＳは、スロットの３番目のシンボル（ＳＢ２）又は４番目のシンボル（ＳＢ３）にマッピングされる。これに対し、ＤＭＲＳのマッピングタイプＢでは、ＦＬ−ＤＭＲＳは、スロットの先頭シンボルにマッピングされる。すなわち、図３Ｂに示すように、ＦＬ−ＤＭＲＳは、ＳＢ０にマッピングされる。
【００５５】
なお、図３Ｂでは、ＰＤＣＣＨ又はＰＵＣＣＨは、スロットにマッピングされていない。ＦＬ−ＤＭＲＳがスロットの先頭シンボルにマッピングされる場合、ＰＤＣＣＨ又はＰＵＣＣＨは、別のスロットにマッピングされる。また、図３Ｂの例では、Ａ−ＤＭＲＳは、ＳＢ１２にマッピングされている。
【００５６】
なお、図３Ａ及び図３Ｂでは、Ａ−ＤＭＲＳのシンボル数が１つの場合を例示しているが、本実施の形態では、Ａ−ＤＭＲＳのシンボル数は、１つに限られず、複数の場合もある。また、図３Ａ及び図３Ｂでは、ＤＭＲＳが、連続したサブキャリアにマッピングされている場合を例示しているが、本実施の形態では、ＤＭＲＳが、サブキャリアに不連続にマッピングされてもよい。
【００５７】
ＤＬ及びＵＬのそれぞれにおいて、ＤＭＲＳのマッピング位置が規定される。以下、Ａ−ＤＭＲＳを含むＤＭＲＳのマッピング位置について説明する。
【００５８】
＜ＤＬにおけるＤＭＲＳのマッピング位置＞
図４は、ＤＬにおけるＤＭＲＳのマッピング位置を説明する図である。図４に示す「Duration of PDSCH transmission」は、マッピングタイプＡでの、ＰＤＣＣＨとＰＤＳＣＨとを構成するシンボル数を示している。また、「Duration of PDSCH transmission」は、マッピングタイプＢでの、ＰＤＳＣＨを構成するシンボル数を示している。なお、ＮＲ（New Radio）では、ＰＤＳＣＨを構成するシンボル数は、可変である。例えば、ＰＤＣＣＨを構成するシンボル数は、１〜３の何れかであり得る。
【００５９】
ＤＬにおけるＤＭＲＳのマッピング位置は、図４の「PDSCH mapping type A」および「PDSCH mapping type B」に示すように、マッピングタイプＡとマッピングタイプＢとの２つに分けられる。そして、図４の「DL-DMRS-add-pos」に示すように、各マッピングタイプにおいて、「０，１，２，３」の４つの場合のそれぞれにおけるＡ−ＤＭＲＳの位置が規定される。
【００６０】
「DL-DMRS-add-pos」の下欄に示す「０，１，２，３」は、ＰＤＳＣＨにマッピングされるＡ−ＤＭＲＳのシンボルの数を示している。例えば、「０」は、Ａ−ＤＭＲＳがＰＤＳＣＨにマッピングされないことを示している。「１」は、ＰＤＳＣＨにマッピングされるＡ−ＤＭＲＳのシンボルの数が１個であることを示している。別言すれば、ＰＤＳＣＨには、ＦＬ−ＤＭＲＳと、１シンボルのＡ−ＤＭＲＳがマッピングされる。「２」は、ＰＤＳＣＨにマッピングされるＡ−ＤＭＲＳのシンボルの数が２個であることを示している。別言すれば、ＰＤＳＣＨには、ＦＬ−ＤＭＲＳと、２シンボルのＡ−ＤＭＲＳと、がマッピングされる。「３」は、ＰＤＳＣＨにマッピングされるＡ−ＤＭＲＳのシンボルの数が３個であることを示している。別言すれば、ＰＤＳＣＨには、ＦＬ−ＤＭＲＳと、３シンボルのＡ−ＤＭＲＳと、がマッピングされる。
【００６１】
図４の太線の枠Ａ１内に示す「ｌ０」および数字は、ＤＭＲＳがマッピングされるシンボルの位置を示している。マッピングタイプＡの「ｌ０」は、「２」及び「３」のいずれかの値を取る。マッピングタイプＢの「ｌ０」は、「０」の値を取る。つまり、「ｌ０」は、ＦＬ−ＤＭＲＳがマッピングされるシンボル位置を示している（図３Ａ及び図３ＢのＦＬ−ＤＭＲＳを参照）。そして、図４の太線の枠Ａ１内に示す数字は、Ａ−ＤＭＲＳがマッピングされるシンボルの位置を示している。
【００６２】
各マッピングタイプのＤＭＲＳの位置は、ＰＤＳＣＨを構成するシンボル数によって、それぞれ規定されている。例えば、ＰＤＳＣＨを構成するシンボル数が「１１」の場合（図４に示すDuration of PDSCH transmissionが「１１」の場合）、マッピングタイプＡでは、「ｌ０」のシンボル、「ｌ０，９」のシンボル、及び「ｌ０，６，９」のシンボルのいずれかにマッピングされる。また、例えば、ＰＤＳＣＨを構成するシンボル数が「１２」の場合（図４に示すDuration of PDSCH transmissionが「１２」の場合）、マッピングタイプＢでは、「ｌ０」のシンボル、「ｌ０，１０」のシンボル、「ｌ０，５，１０」、及び「ｌ０，３，６，９」のシンボルのいずれかにマッピングされる。
【００６３】
なお、マッピングタイプＡでは、ＰＤＳＣＨを構成するシンボル数が８以下の場合、ＰＤＳＣＨに、Ａ−ＤＭＲＳはマッピングされない。マッピングタイプＢでは、ＰＤＳＣＨを構成するシンボル数が６以下の場合、ＰＤＳＣＨに、Ａ−ＤＭＲＳはマッピングされない。
【００６４】
ＤＬにおけるＤＭＲＳの位置は、例えば、ＤＣＩによって、無線基地局１０から、ユーザ端末２０に通知される。例えば、無線基地局１０は、図４に示す表の情報を、例えば、テーブルとしてメモリに記憶している。無線基地局１０は、メモリに記憶しているテーブルを参照し、ＤＭＲＳのマッピングタイプと、図４に示すDL-DMRS-add-posの「０〜３」のいずれかの値とを指定する。
【００６５】
ユーザ端末２０は、図４に示す表の情報を、例えば、テーブルとしてメモリに記憶している。ユーザ端末２０は、無線基地局１０から指定されたＤＭＲＳのマッピングタイプと、DL-DMRS-add-posの「０〜３」のいずれかの値とに基づいて、メモリのテーブルを参照し、ＤＭＲＳがマッピングされているシンボルの位置を判定する。
【００６６】
例えば、無線基地局１０は、ＰＤＳＣＨを１２シンボルで構成し、マッピングタイプＢのDL-DMRS-add-pos「２」で示される位置に、ＤＭＲＳをマッピングしたとする（図４の点線の枠Ａ２参照）。
【００６７】
図５は、マッピングタイプＢのDL-DMRS-add-pos「２」におけるＤＭＲＳのマッピング位置の一例を示した図である。無線基地局１０は、ＰＤＳＣＨを１２シンボル（ＳＢ０〜ＳＢ１１）で構成し、マッピングタイプＢのDL-DMRS-add-pos「２」が示す位置に、ＤＭＲＳをマッピングしたとする（図４の点線の枠Ａ２参照）。この場合、ＦＬ−ＤＭＲＳは、例えば、図５に示すように、ＳＢ０にマッピングされ、Ａ−ＤＭＲＳは、ＳＢ５とＳＢ１０とにマッピングされる。
【００６８】
無線基地局１０は、上記したように、例えば、ＤＣＩを用いて、ＤＬにおけるＤＭＲＳのマッピング位置をユーザ端末２０に通知する。上記例の場合、無線基地局１０は、マッピングタイプＢのDL-DMRS-add-pos「２」の情報をＤＣＩに含め、ユーザ端末２０に通知する。
【００６９】
ユーザ端末２０は、ＤＣＩに含まれているマッピングタイプＢのDL-DMRS-add-pos「２」の情報に基づいて、メモリに記憶しているテーブル（図４に示す表の情報）を参照する。そして、ユーザ端末２０は、ｌ０番目のシンボル（ＳＢ０）にＦＤ−ＤＭＲＳがマッピングされ、ＳＢ５とＳＢ１０とにＡ−ＤＭＲＳがマッピングされていることを判定する。なお、ユーザ端末２０は、無線基地局１０から通知されるスケジューリング情報に基づいて、ＰＤＳＣＨを構成しているシンボルの数（１２シンボル）を判定できる。
【００７０】
５Ｇの仕様では、図４に示すマッピングタイプＢの一点鎖線の枠Ａ３内のＤＭＲＳのマッピング位置は規定されていない。そこで、本発明では、マッピングタイプＢの一点鎖線の枠Ａ３内のＤＭＲＳのマッピング位置を規定した。
【００７１】
図４に示す一点鎖線の枠Ａ３内のＤＭＲＳは、マッピングされるシンボル間隔が等間隔または等間隔に近くなるように、かつ、ある程度決まったシンボルにマッピングされるよう規定されている。例えば、DL-DMRS-add-posが「２」である場合に、Duration of PDSCH transmissionが「２ｎ」の場合と「２ｎ＋１」の場合とで（ｎは、４、５、６のいずれか）、Ａ−ＤＭＲＳのスロットの先頭からの位置が同一となる。
【００７２】
また、時間方向において、最後のＤＭＲＳは、ＰＤＳＣＨを構成するシンボルの後ろから３シンボル内にマッピングされるように規定されている。別言すれば、ＤＭＲＳは、時間方向において、なるべくＰＤＳＣＨの両端（一方の端は、ＦＬ−ＤＭＲＳであり、先頭のシンボルにマッピングされている）にマッピングされるように規定されている。
【００７３】
例えば、図５に示すように、ＤＭＲＳは、５シンボル間隔でＰＤＳＣＨにマッピングされている。また、図４に示すように、ＤＭＲＳは、ＳＢ３〜ＳＢ６，ＳＢ８〜ＳＢ１０，ＳＢ１２と決まったシンボルにマッピング（リユース）されている。また、図５に示すように、時間方向において、最後のＤＭＲＳ（Ａ−ＤＭＲＳ）は、ＰＤＳＣＨを構成する１２シンボルのうちの最後の３シンボルＳＢ９，ＳＢ１０，ＳＢ１１内のＳＢ１０にマッピングされている。
【００７４】
このように、ＤＭＲＳのマッピング間隔を等間隔または等間隔に近くなるように規定することによって、ＰＤＳＣＨ内のチャネル推定の精度を均一化できる。また、ＤＭＲＳを、ある程度決まったシンボルにマッピングすることによって、ＤＭＲＳとデータ信号との衝突を回避し、ＤＭＲＳ同士の衝突の確率を高くして、ＤＭＲＳとデータ信号とが衝突した場合よりも、ＤＭＲＳ同士が衝突したときのチャネル推定の性能を平均的に向上できる。また、時間方向において、最後のＤＭＲＳを、ＰＤＳＣＨを構成するシンボルのうちの後ろから３シンボル内にマッピングすることによって、ＰＤＳＣＨの全体にわたるチャネル推定の補間精度を向上できる。
【００７５】
＜ＤＬにおけるＤ−ＤＭＲＳ（Double-symbol DMRS）のマッピング位置＞
次に、ダブルシンボルＤＭＲＳ（Double-symbol DMRS；以下、Ｄ−ＤＭＲＳと記載することがある）のマッピング位置について説明する。
【００７６】
ＤＬにおけるＤ−ＤＭＲＳでは、ＤＭＲＳが２シンボル連続してマッピングされる。例えば、マッピングタイプＡでは、ＦＬ−ＤＭＲＳは、３番目と４番目と（ＳＢ２，ＳＢ３）の２つのシンボルに連続してマッピングされ、または、４番目と５番目と（ＳＢ３，ＳＢ４）の２つのシンボルに連続してマッピングされる。また、Ａ−ＤＭＲＳも、２つのシンボルに連続してマッピングされる。
【００７７】
マッピングタイプＢもマッピングタイプＡと同様に、ＦＬ−ＤＭＲＳは、１番目と２番目と（ＳＢ０，ＳＢ１）の２つのシンボルに連続してマッピングされる。また、Ａ−ＤＭＲＳも、２つのシンボルに連続してマッピングされる。
【００７８】
図６は、ＤＬにおけるＤ−ＤＭＲＳのマッピング位置を説明する図である。図６に示す表の見方は、図４と同様である。ただし、ＤＭＲＳは、太線の枠Ａ１１内に示される「ｌ０」と数字とが示すシンボルと、そのシンボルに連続する（時間方向において連続する）シンボルとにマッピングされる。
【００７９】
例えば、Ｄ−ＤＭＲＳのマッピングタイプは、マッピングタイプＢであり、ＰＤＣＳＨは、１２シンボルで構成されるとする。また、DL-DMRS-add-posは、「１」であるとする。この場合、ＦＬ−ＤＭＲＳは、ＳＢ０，ＳＢ１にマッピングされ、Ａ−ＤＭＲＳは、ＳＢ９，ＳＢ１０にマッピングされる（図６の点線の枠Ａ１２参照）。
【００８０】
図７は、マッピングタイプＢのDL-DMRS-add-pos「１」におけるＤＭＲＳのマッピング位置の一例を示した図である。無線基地局１０は、ＰＤＳＣＨを１２シンボル（ＳＢ０〜ＳＢ１１）で構成し、マッピングタイプＢのDL-DMRS-add-pos「１」が示す位置に、ＤＭＲＳをマッピングしたとする（図６の点線の枠Ａ１２参照）。この場合、ＦＬ−ＤＭＲＳは、例えば、図７に示すように、ＳＢ０，ＳＢ１にマッピングされ、Ａ−ＤＭＲＳは、ＳＢ９，ＳＢ１０にマッピングされる。
【００８１】
Ｄ−ＤＭＲＳにおいても、シングルＤＭＲＳと同様に、ＤＭＲＳのマッピング位置が無線基地局１０からユーザ端末２０に通知される。ユーザ端末２０は、図６に示す表の情報を、例えば、テーブルとしてメモリに記憶している。ユーザ端末２０は、無線基地局１０から指定されたＤＭＲＳのマッピングタイプと、DL-DMRS-add-posの「０，１」のいずれかの値とに基づいて、メモリのテーブルを参照し、Ｄ−ＤＭＲＳがマッピングされているシンボルの位置を判定（取得）する。
【００８２】
５Ｇの仕様では、図６に示すマッピングタイプＢの一点鎖線の枠Ａ１３内のＤＭＲＳのマッピング位置は規定されていない。そこで、本発明では、マッピングタイプＢの一点鎖線の枠Ａ１３内のＤＭＲＳのマッピング位置を規定した。
【００８３】
図６に示す一点鎖線の枠Ａ１３内のＤＭＲＳは、ある程度決まったシンボルにマッピングされるように規定されている。また、時間方向において、最後のＤＭＲＳは、ＰＤＳＣＨを構成するシンボルの後ろから３シンボル内にマッピングされるように規定されている。また、DL-DMRS-add-posが「０、１」または「２」である場合に、Duration of PDSCH transmissionが「１０」以上の、Ａ−ＤＭＲＳのスロットの先頭からの位置が、マッピングタイプＡとマッピングタイプＢとで同一となる。
【００８４】
例えば、図６に示すように、ＳＢ９は、ＤＭＲＳのマッピングにおいて、２個リユースされている。また、図７に示すように、時間方向において、最後のＤＭＲＳ（Ａ−ＤＭＲＳ）は、ＰＤＳＣＨを構成する１２シンボルのうちの最後の３シンボルＳＢ９，ＳＢ１０，ＳＢ１１内のＳＢ１０にマッピングされている。
【００８５】
このように、ＤＭＲＳを、ある程度決まったシンボルにマッピングすることによって、ＤＭＲＳ同士が衝突したときのチャネル推定の性能を、ＤＭＲＳとデータとが衝突した場合よりも平均的に向上できる。また、時間方向において、最後のＤＭＲＳを、ＰＤＳＣＨを構成するシンボルの後ろから３シンボル内にマッピングすることによって、ＰＤＳＣＨの全体にわたるチャネル推定の補間精度を向上できる。
【００８６】
なお、図６に示すように、Ｄ−ＤＭＲＳのＡ−ＤＭＲＳは、１個の場合が規定されている。すなわち、Ｄ−ＤＭＲＳのＡ−ＤＭＲＳは、DL-DMRS-add-posが「０，１」を規定し、２以上を規定していない。Ｄ−ＤＭＲＳのＡ−ＤＭＲＳを２以上規定していないのは、ＤＭＲＳによって、ＰＤＳＣＨのリソースが減少するのを抑制するためである。
【００８７】
例えば、図７に示すように、Ｄ−ＤＭＲＳのＡ−ＤＭＲＳが１個の場合、ＤＭＲＳがマッピングされるシンボルの数は、ＳＢ０，ＳＢ１，ＳＢ９，ＳＢ１０の４個となる。仮に、Ｄ−ＤＭＲＳのＡ−ＤＭＲＳを２個とした場合、ＤＭＲＳがマッピングされるシンボルの数は、６個となるため、データの信号をマッピングするＰＤＳＣＨのリソースが減少してしまう。そのため、Ｄ−ＤＭＲＳのＡ−ＤＭＲＳを２以上に規定していない。
【００８８】
＜ＵＬにおけるＤＭＲＳのマッピング位置＞
次に、ＵＬにおけるＤＭＲＳのマッピング位置について説明する。
【００８９】
図８は、ＵＬにおけるＤＭＲＳのマッピング位置を説明する図である。図８に示す表の見方は、図４と同様である。ただし、図８に示す「PUSCH duration in symbols」は、マッピングタイプがＡの場合、ＰＵＣＣＨとＰＵＳＣＨとを構成するシンボル数を示している。また、「PUSCH duration in symbols」は、マッピングタイプがＢの場合、ＰＵＳＣＨを構成するシンボル数を示している。なお、ＮＲ（New Radio）では、ＰＵＳＣＨを構成するシンボル数は、可変である。例えば、ＰＵＣＣＨを構成するシンボル数は、１〜３の何れかであり得る。
【００９０】
ＵＬにおけるＤＭＲＳの位置は、例えば、ＤＣＩによって、無線基地局１０から、ユーザ端末２０に通知される。ユーザ端末２０は、図８に示す表の情報を、例えば、テーブルとしてメモリに記憶している。ユーザ端末２０は、ＤＣＩによって通知されたＤＭＲＳのマッピング位置の情報に基づいて、メモリのテーブルを参照し、ＰＵＳＣＨにマッピングするＤＭＲＳのシンボルの位置を判定する。
【００９１】
例えば、ユーザ端末２０は、無線基地局１０から、ＰＵＳＣＨを１２シンボルで構成し、マッピングタイプＢのDL-DMRS-add-pos「２」で示される位置に、ＤＭＲＳをマッピングするよう通知されたとする（図８の点線の枠Ａ２１参照）。
【００９２】
図９は、マッピングタイプＢのUL-DMRS-add-pos「２」におけるＤＭＲＳのマッピング位置の一例を示した図である。上記したように、ユーザ端末２０は、無線基地局１０から、ＰＵＳＣＨを１２シンボルで構成し、マッピングタイプＢのDL-DMRS-add-pos「２」で示される位置に、ＤＭＲＳをマッピングすることが通知されたとする。この場合、ＦＬ−ＤＭＲＳは、例えば、図９に示すように、ＳＢ０にマッピングされ、Ａ−ＤＭＲＳは、ＳＢ５とＳＢ１０とにマッピングされる。無線基地局１０は、ＵＬにおけるＤＭＲＳのマッピング位置を設定し、設定した情報をユーザ端末２０に通知しているので、ユーザ端末２０から受信したＰＵＳＣＨのどのシンボルにＤＭＲＳがマッピングされているかを判定できる。
【００９３】
なお、ＵＬにおけるＤＭＲＳのマッピング位置は、ユーザ端末２０が決定してもよい。例えば、ユーザ端末２０は、決定したマッピング位置にＵＬのＤＭＲＳをマッピングし、決定したマッピング位置の情報を、例えば、ＵＣＩ（Uplink Control Information）に含めて無線基地局１０に通知してもよい。無線基地局１０は、図８に示す表の情報を、例えば、テーブルとしてメモリに記憶している。無線基地局１０は、ＵＣＩによって通知されたＤＭＲＳのマッピング位置の情報に基づいて、メモリのテーブルを参照し、ＰＵＳＣＨにマッピングされているＤＭＲＳのシンボルの位置を判定する。
【００９４】
５Ｇの仕様では、図８に示すマッピングタイプＢの一点鎖線の枠Ａ２２内のＤＭＲＳのマッピング位置は規定されていない。そこで、本発明では、マッピングタイプＢの一点鎖線の枠Ａ２２内のＤＭＲＳのマッピング位置を規定した。
【００９５】
図８に示す一点鎖線の枠Ａ２２内のＤＭＲＳは、マッピングされるシンボル間隔が等間隔または等間隔に近くに、かつ、ある程度決まったシンボルにマッピングされることが規定されている。また、時間方向において、最後のＤＭＲＳは、ＰＵＳＣＨを構成するシンボルの後ろから５シンボル内マッピングされることが規定されている。別言すれば、ＤＭＲＳは、時間方向において、なるべくＰＵＳＣＨの両端（一方の端は、ＦＬ−ＤＭＲＳであり、先頭のシンボルにマッピングされている）にマッピングされることが規定されている。
【００９６】
このように、ＤＭＲＳのマッピング間隔を等間隔または等間隔に近くなるように規定することによって、ＰＵＳＣＨ内のチャネル推定の精度を均一化できる。また、ＤＭＲＳを、ある程度決まったシンボルにマッピングすることによって、ＤＭＲＳが衝突したときのチャネル推定の性能を向上させることができる。また、時間方向において、最後のＤＭＲＳを、ＰＵＳＣＨを構成するシンボルの後ろから５シンボル内にマッピングすることによって、ＰＤＳＣＨの全体にわたるチャネル推定の補間精度を向上できる。
【００９７】
＜ＵＬにおけるＤ−ＤＭＲＳのマッピング位置＞
次に、Ｄ−ＤＭＲＳのマッピング位置について説明する。
【００９８】
ＵＬにおけるＤ−ＤＭＲＳは、ＤＬにおけるＤＭＲＳと同様に、ＤＭＲＳが２シンボル連続してマッピングされる。例えば、図７に示したＤＭＲＳと同様に、ＰＤＳＣＨにおいて、ＤＭＲＳが２シンボル連続してマッピングされる。
【００９９】
図１０は、ＵＬにおけるＤ−ＤＭＲＳのマッピング位置を説明する図である。図１０に示す表の見方は、図４と同様である。ただし、ＤＭＲＳは、太線の枠Ａ３１内に示される「ｌ０」と数字とが示すシンボルと、そのシンボルに連続する（時間方向において連続する）シンボルとにマッピングされる。
【０１００】
例えば、Ｄ−ＤＭＲＳのマッピングタイプは、マッピングタイプＢであり、ＰＵＣＳＨは、１２シンボルで構成され、UL-DMRS-add-posは、「１」である場合、ＦＬ−ＤＭＲＳは、ＳＢ０，ＳＢ１にマッピングされ、Ａ−ＤＭＲＳは、ＳＢ９，ＳＢ１０にマッピングされる（図１０の点線の枠Ａ３２参照）。
【０１０１】
Ｄ−ＤＭＲＳにおいても、シングルＤＭＲＳと同様に、ＤＭＲＳのマッピング位置が無線基地局１０からユーザ端末２０に通知される。ユーザ端末２０は、図１０に示す表の情報を、例えば、テーブルとしてメモリに記憶している。ユーザ端末２０は、無線基地局１０から指定されたＤＭＲＳのマッピングタイプと、UL-DMRS-add-posの「０，１」のいずれかの値とに基づいて、メモリのテーブルを参照し、Ｄ−ＤＭＲＳをマッピングするシンボルの位置を判定する。
【０１０２】
５Ｇの仕様では、図１０に示すマッピングタイプＢの一点鎖線の枠Ａ３３内のＤＭＲＳのマッピング位置は規定されていない。そこで、マッピングタイプＢの一点鎖線の枠Ａ３３内のＤＭＲＳのマッピング位置を規定する。
【０１０３】
図１０に示す一点鎖線の枠Ａ３３内のＤＭＲＳは、ある程度決まったシンボルにマッピングされることが規定されている。また、時間方向において、最後のＤＭＲＳは、ＰＵＳＣＨを構成するシンボルの後ろから４シンボル目にマッピングされることが規定されている。
【０１０４】
このように、ＤＭＲＳを、ある程度決まったシンボルにマッピングすることによって、ＤＭＲＳ同士が衝突したときのチャネル推定の性能を、ＤＭＲＳとデータとが衝突した場合よりも平均的に向上できる。また、時間方向において、最後のＤＭＲＳを、ＰＵＳＣＨを構成するシンボルの後ろから４シンボル目にマッピングすることによって、ＰＵＳＣＨの全体にわたるチャネル推定の補間精度を向上できる。
【０１０５】
なお、図１０に示すように、Ｄ−ＤＭＲＳのＡ−ＤＭＲＳは、１個の場合が規定されている。すなわち、Ｄ−ＤＭＲＳのＡ−ＤＭＲＳは、UL-DMRS-add-posが「０，１」を規定し、２以上を規定していない。Ｄ−ＤＭＲＳのＡ−ＤＭＲＳを２以上規定していないのは、ＤＭＲＳによって、ＰＵＳＣＨのリソースが減少するのを抑制するためである。
【０１０６】
＜ＵＬにおけるＤＭＲＳの周波数ホッピング＞
ＵＬでは、１つのスロットにおいて、周波数ホッピングが適用されても良い。例えば、１つのスロットが１４シンボルにより構成される場合、１つのスロットが、７シンボルから構成される２つの領域に分割されて、２つの領域に対して周波数ホッピングが適用されても良い。
【０１０７】
しかしながら、５Ｇの仕様では、周波数ホッピングが適用される場合のＤＭＲＳのマッピング位置は規定されていない。そこで、本発明では、周波数ホッピングが適用される場合のＤＭＲＳのマッピング位置を規定した。
【０１０８】
図１１は、ＵＬのＤＭＲＳの周波数ホッピングの一例を説明する図である。図１１に示すように、１スロットは、時間方向において、前半に位置する第１ホップ領域と、後半に位置する第２ホップ領域とに区切られてよい。図１１の例では、第２ホップ領域が、第１ホップ領域よりも低い周波数帯にホップされる。なお、第２ホップ領域は、第１ホップ領域よりも高い周波数帯にホップされてもよい。
【０１０９】
なお、図１１における各ホップ領域の７シンボルを、左から順にＳＢ０〜ＳＢ６と呼ぶ。
【０１１０】
図１１の第１ホップ領域の先頭２シンボル（ＳＢ０及びＳＢ１）には、ＰＵＣＣＨがマッピングされている。ＰＵＣＣＨのシンボル数は、２シンボルに限定されず、１シンボル又は３シンボルでもよい。
【０１１１】
ＤＭＲＳは、第１ホップ領域および第２ホップ領域のそれぞれにおいてマッピングされる。例えば、ＤＭＲＳは、第１ホップ領域及び第２ホップ領域のそれぞれにおいて、ＳＢ２とＳＢ４とにマッピングされてよい。
【０１１２】
図１２は、ＵＬにおけるＤＭＲＳのマッピング位置を説明する図である。図１２に示す表の見方は、図４と同様である。ただし、図１２に示す「PUSCH duration in symbols」は、第１ホップ領域のシンボル数を示し、また、第２ホップ領域のシンボル数を示している。なお、図１１に示したＤＭＲＳは、マッピングタイプＡの「ｌ０＝２」の場合であって、図１２の太線の枠Ａ４１で指定されたマッピング位置に基づいて、無線リソースにマッピングされている。すなわち、ＤＭＲＳは、第１ホップ領域のＳＢ２とＳＢ６とにマッピングされ、第２ホップ領域のＳＢ２とＳＢ６とにマッピングされている。
【０１１３】
なお、図１１において、第２ホップ領域にも、ＰＵＣＣＨがマッピングされてもよい。また、図１１では、ＤＭＲＳは、第１ホップ領域及び第２ホップ領域の同じシンボル位置にマッピングされているが、第１ホップ領域と第２ホップ領域とで、異なるシンボル位置にマッピングされてもよい。例えば、第２ホップ領域では、ＳＢ２にＤＭＲＳがマッピングされる代わりに、先頭のシンボル（ＳＢ０）にＤＭＲＳがマッピングされてもよい。この場合、第１ホップ領域及び第２ホップ領域のそれぞれにおいて、図１２に示すような表（マッピング位置を規定する情報）を用意してもよい。あるいは、周波数ホッピングが適用されるマッピングタイプＡのＤＭＲＳのマッピングの場合、ＰＵＣＣＨがマッピングされる第１ホップ領域のＤＭＲＳの位置は、図１２に示すマッピングタイプＡに基づいて設定され、ＰＵＣＣＨがマッピングされない第２ホップ領域のＤＭＲＳの位置は、図１２に示すマッピングタイプＢに基づいて設定されても良い。
【０１１４】
５Ｇの仕様では、周波数ホッピングにおける、マッピングタイプＡ，ＢのＤＭＲＳのマッピング位置は規定されていない。そこで、本発明では、周波数ホッピングにおける、マッピングタイプＡ，ＢのＤＭＲＳのマッピング位置を規定した。
【０１１５】
以上、本発明の実施の形態について説明した。
【０１１６】
（ハードウェア構成）
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【０１１７】
例えば、本発明の一実施の形態における無線基地局１０、ユーザ端末２０などは、本発明の無線通信方法の処理を行うコンピュータとして機能してもよい。図１３は、本発明の一実施の形態に係る無線基地局１０及びユーザ端末２０のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１１８】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１１９】
例えば、プロセッサ１００１は１つだけ図示されているが、複数のプロセッサがあってもよい。また、処理は、１のプロセッサで実行されてもよいし、処理が同時に、逐次に、又はその他の手法で、一以上のプロセッサで実行されてもよい。なお、プロセッサ１００１は、一以上のチップで実装されてもよい。
【０１２０】
無線基地局１０及びユーザ端末２０における各機能は、プロセッサ１００１、メモリ１００２などのハードウェア上に所定のソフトウェア（プログラム）を読み込ませることで、プロセッサ１００１が演算を行い、通信装置１００４による通信、又は、メモリ１００２及びストレージ１００３におけるデータの読み出し及び／又は書き込みを制御することで実現される。
【０１２１】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）によって構成されてもよい。例えば、上述のスケジューラ１０１、送信信号生成部１０２，２０６、符号化・変調部１０３，２０７、マッピング部１０４，２０８、制御部１０８，２０３、チャネル推定部１０９，２０４、復調・復号部１１０，２０５などは、プロセッサ１００１によって実現されてもよい。
【０１２２】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、無線基地局１０のスケジューラ１０１は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されてもよい。
【０１２３】
メモリ１００２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【０１２４】
ストレージ１００３は、コンピュータ読み取り可能な記録媒体であり、例えば、ＣＤ−ＲＯＭ（Compact Disc ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１２５】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の送信部１０５，２０９、アンテナ１０６，２０１、受信部１０７，２０２などは、通信装置１００４で実現されてもよい。
【０１２６】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１２７】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１２８】
また、無線基地局１０及びユーザ端末２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１２９】
（情報の通知、シグナリング）
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１３０】
（適応システム）
本明細書で説明した各態様／実施形態は、ＬＴＥ（Long Term Evolution）、ＬＴＥ−Ａ（LTE-Advanced）、ＳＵＰＥＲ ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ ８０２．１１（Ｗｉ−Ｆｉ）、ＩＥＥＥ８０２．１６（ＷｉＭＡＸ）、ＩＥＥＥ ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１３１】
（処理手順等）
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１３２】
（基地局の操作）
本明細書において基地局（無線基地局）によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード(例えば、ＭＭＥ（Mobility Management Entity）またはＳ−ＧＷ（Serving Gateway）などが考えられるが、これらに限られない)によって行われ得ることは明らかである。上記において基地局以外の他のネットワークノードが１つである場合を例示したが、複数の他のネットワークノードの組み合わせ(例えば、ＭＭＥおよびＳ−ＧＷ)であってもよい。
【０１３３】
（入出力の方向）
情報及び信号等は、上位レイヤ(または下位レイヤ)から下位レイヤ(または上位レイヤ)に出力され得る。複数のネットワークノードを介して入出力されてもよい。
【０１３４】
（入出力された情報等の扱い）
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置に送信されてもよい。
【０１３５】
（判定方法）
判定は、１ビットで表される値（０か１か）によって行われてもよいし、真偽値（Boolean：trueまたはfalse）によって行われてもよいし、数値の比較（例えば、所定の値との比較）によって行われてもよい。
【０１３６】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１３７】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１３８】
（情報、信号）
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１３９】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【０１４０】
（「システム」、「ネットワーク」）
本明細書で使用する「システム」および「ネットワーク」という用語は、互換的に使用される。
【０１４１】
（パラメータ、チャネルの名称）
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１４２】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０１４３】
（基地局）
基地局（無線基地局）は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Remote Radio Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｅＮＢ」、「ｇＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、ｇＮｏｄｅＢ（ｇＮＢ）アクセスポイント（access point）、フェムトセル、スモールセルなどの用語で呼ばれる場合もある。
【０１４４】
（端末）
ユーザ端末は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、ＵＥ（User Equipment）、またはいくつかの他の適切な用語で呼ばれる場合もある。
【０１４５】
（用語の意味、解釈）
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１４６】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１４７】
参照信号は、ＲＳ（Reference Signal）と略称することもでき、適用される標準によってパイロット（Pilot）と呼ばれてもよい。また、ＤＭＲＳは、対応する別の呼び方、例えば、復調用ＲＳまたはＤＭ−ＲＳなどであってもよい。
【０１４８】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１４９】
上記の各装置の構成における「部」を、「手段」、「回路」、「デバイス」等に置き換えてもよい。
【０１５０】
「含む(including)」、「含んでいる（comprising）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【０１５１】
無線フレームは時間領域において１つまたは複数のフレームで構成されてもよい。時間領域において１つまたは複数の各フレームはサブフレーム、タイムユニット等と呼ばれてもよい。サブフレームは更に時間領域において１つまたは複数のスロットで構成されてもよい。スロットはさらに時間領域において１つまたは複数のシンボル（ＯＦＤＭ（Orthogonal Frequency Division Multiplexing）シンボル、ＳＣ-ＦＤＭＡ（Single Carrier-Frequency Division Multiple Access）シンボル等）で構成されてもよい。
【０１５２】
無線フレーム、サブフレーム、スロット、ミニスロット、およびシンボルは、いずれも信号を伝送する際の時間単位を表す。無線フレーム、サブフレーム、スロット、ミニスロット、およびシンボルは、それぞれに対応する別の呼び方であってもよい。
【０１５３】
例えば、ＬＴＥシステムでは、基地局が各移動局に無線リソース（各移動局において使用することが可能な周波数帯域幅、送信電力等）を割り当てるスケジューリングを行う。スケジューリングの最小時間単位をＴＴＩ（Transmission Time Interval）と呼んでもよい。
【０１５４】
例えば、１サブフレームをＴＴＩと呼んでもよいし、複数の連続したサブフレームをＴＴＩと呼んでもよいし、１スロットをＴＴＩと呼んでもよいし、１ミニスロットをＴＴＩと呼んでもよい。
【０１５５】
リソースユニットは、時間領域および周波数領域のリソース割当単位であり、周波数領域では１つまたは複数個の連続した副搬送波（subcarrier）を含んでもよい。また、リソースユニットの時間領域では、１つまたは複数個のシンボルを含んでもよく、１スロット、１ミニスロット、１サブフレーム、または１ＴＴＩの長さであってもよい。１ＴＴＩ、１サブフレームは、それぞれ１つまたは複数のリソースユニットで構成されてもよい。また、リソースユニットは、リソースブロック（ＲＢ：Resource Block）、物理リソースブロック（ＰＲＢ：Physical RB）、ＰＲＢペア、ＲＢペア、スケジューリングユニット、周波数ユニット、サブバンドと呼ばれてもよい。また、リソースユニットは、１つ又は複数のＲＥで構成されてもよい。例えば、１ＲＥは、リソース割当単位となるリソースユニットより小さい単位のリソース（例えば、最小のリソース単位）であればよく、ＲＥという呼称に限定されない。
【０１５６】
上述した無線フレームの構造は例示に過ぎず、無線フレームに含まれるサブフレームの数、サブフレームに含まれるスロットの数、サブフレームに含まれるミニスロットの数、スロットに含まれるシンボルおよびリソースブロックの数、および、リソースブロックに含まれるサブキャリアの数は様々に変更することができる。
【０１５７】
本開示の全体において、例えば、英語でのa, an, 及びtheのように、翻訳により冠詞が追加された場合、これらの冠詞は、文脈から明らかにそうではないことが示されていなければ、複数のものを含むものとする。
【０１５８】
（態様のバリエーション等）
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１５９】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１６０】
１０  無線基地局
２０  ユーザ端末
１０１  スケジューラ
１０２，２０６  送信信号生成部
１０３，２０７  符号化・変調部
１０４，２０８  マッピング部
１０５，２０９  送信部
１０６，２０１  アンテナ
１０７，２０２  受信部
１０８，２０３  制御部
１０９，２０４  チャネル推定部
１１０，２０５  復調・復号部
【図１】
2019138562.tif 000003
【図２】
2019138562.tif 000004
【図３Ａ】
2019138562.tif 000005
【図３Ｂ】
2019138562.tif 000006
【図４】
2019138562.tif 000007
【図５】
2019138562.tif 000008
【図６】
2019138562.tif 000009
【図７】
2019138562.tif 000010
【図８】
2019138562.tif 000011
【図９】
2019138562.tif 000012
【図１０】
2019138562.tif 000013
【図１１】
2019138562.tif 000014
【図１２】
2019138562.tif 000015
【図１３】
2019138562.tif 000016
【国際調査報告】
2019138562.tif 000017
2019138562.tif 000018
2019138562.tif 000019
2019138562.tif 000020